(57)【特許請求の範囲】
【請求項１】
公衆回線に接続された網制御装置にマイコンメータを接続して公衆回線とマイコンメータとの間で通信を行う通信システムにおいて、
前記マイコンメータと前記網制御回路との電文送受信を切り替えるスイッチと、
前記マイコンメータと前記網制御装置との間の通信線路に挿入する導通検知手段と、
前記導通検知手段の導通を判定する判定手段と、
を具備し、
前記スイッチを、前記マイコンメータ又は前記網制御装置から電文送信を行うモードに切り替えて、前記導通検知手段を含む前記通信線路に形成したループに電流を印加し、前記判定手段は前記導通検知手段の導通の有無を判定して、前記マイコンメータと前記網制御装置との間の断線の有無を判定することを特徴とする通信システム。
【請求項２】
前記導通検知手段は、前記ループに設けられたフォトカップラであり、
前記判定手段は、前記フォトカップラ内のフォトトランジスタの導通を判定することを特徴とする請求項１記載の通信システム。
【請求項３】
ガス漏れを検知する警報機に接続された連動装置にマイコンメータを接続し、ガス漏れ時には前記警報機から前記マイコンメータに警報信号を送る通信システムにおいて、
前記マイコンメータと前記連動装置との電文送受信を切り替えるスイッチと、
前記マイコンメータと前記連動装置との間の通信線路に挿入する導通検知手段と、
前記導通検知手段の導通を判定する判定手段と、
を具備し、
前記スイッチを、前記連動装置又は前記マイコンメータから電文送信を行うモードに切り替えて、前記導通検知手段を含む前記通信線路に形成したループに電流を印加し、前記判定手段は前記導通検知手段の導通の有無を判定して、前記マイコンメータと前記連動装置との間の断線の有無を判定することを特徴とする通信システム。
【請求項４】
前記導通検知手段は、前記ループに設けられたフォトカップラであり、
前記判定手段は、前記フォトカップラ内のフォトトランジスタの導通を判定することを特徴とする請求項３記載の通信システム。
【発明の詳細な説明】
【０００１】
【産業上の利用分野】
本発明は、自動検針システム、あるいは警報機連動システム等のマイコンメータを用いた通信システムに関するものである。
【０００２】
【従来の技術】
昨今、ガスマイコンメータ等の指針値を公衆回線を介してセンタに送る自動検針システムや、ガス供給における安全を確保するために警報機がガス漏れを検知すると、マイコンメータがガスの供給を遮断する警報機連動システムなどの普及がなされつつある。
【０００３】
図６は自動検針システムにおけるＴーＮＣＵ（網制御装置）１０１とマイコンメータ１０３を示す図である。図６に示すように、ＴーＮＣＵ１０１はインターフェース回路１０７を有し、インターフェース回路１０７はフォトカプラ１０９、フォトカプラ１１１、コンデンサ１１３を有する。フォトカプラ１０９はフォトダイオード１１５、フォトトランジスタ１１７を有し、フォトカプラ１１１はフォトダイオード１１９、フォトトランジスタ１２１を有する。ＴーＮＣＵ１０１は公衆回線を介してセンタ（図示せず）に接続される。フォトダイオード１１５にはセンタ側からの信号に応じてフォトダイオード１１５に電流を印加する回路（図示せず）が接続される。又、フォトトランジスタ１２１にはフォトトランジスタ１２１のオンオフをセンタ側に伝える回路（図示せず）が接続される。
【０００４】
マイコンメータ１０３は次のように構成される。端子１３９は電源電圧Ｖｃｃに接続され、端子１３９に抵抗１３１、抵抗１３３が接続される。端子１２７に接続されたスイッチ１３５は端子１４１、端子１４３を切換え、端子１２９に接続されたスイッチ１３７は端子１４５、端子１４７を切換える。端子１４１は抵抗１３１に接続され、端子１４３はアースされる。同様に端子１４５は抵抗１３３に接続され、端子１４７はアースされる。
【０００５】
ＴーＮＣＵ１０１とマイコンメータ１０３はツイストペア線１０５によって接続される。即ち、端子１２３と端子１２７とが、および端子１２５と端子１２９とがツイストペア線１０５によって接続される。
【０００６】
次にＴーＮＣＵ１０１とマイコンメータ１０３における電文のやりとりの動作を説明する。マイコンメータ１０３がセンタから下り電文Ｄを受け取る場合、スイッチ１３５、スイッチ１３７は実線で示すようにそれぞれ端子１４１、端子１４７に常時接続される。センタからの下り電文Ｄに応じてフォトトランジスタ１１７がオンオフする。フォトトランジスタ１１７がオンの状態では、電源電圧Ｖｃｃに接続された端子１３９から端子１４１、端子１２７、端子１２３、フォトトランジスタ１１７、端子１２５、端子１２９、端子１４７に電流が流れるが、フォトトランジスタ１１７がオフの状態では電流が流れない。従ってフォトトランジスタ１１７のオンオフに応じて端子１４１の電圧値が変化し、この電圧を測定することにより、マイコンメータ１０３は下り電文Ｄを受け取ることができる
。
【０００７】
マイコンメータ１０３からセンタに上り電文Ｅを送る場合、スイッチ１３５は端子１４３に接続される。スイッチ１３７は、マイコンメータ１０３からの上り電文Ｅの「１」又は「０」に応じて端子１４５と端子１４７との接続を切換える。スイッチ１３７が端子１４７と接続された時にはフォトカプラ１１１のフォトダイオード１１９には電流が流れないが、スイッチ１３７が端子１４５と接続された時にはフォトカプラ１１１のフォトダイオード１１９に電流が流れる。フォトダイオード１１９に電流が流れる時にはフォトトランジスタ１２１はオンとなり、フォトダイオード１１９に電流が流れない時にはフォトトランジスタ１２１はオフとなる。このようなフォトカプラ１１１のオンオフによって、センタに上り電文Ｅを送ることができる。
【０００８】
図７は警報機連動システムにおける連動装置１４９とマイコンメータ１０３を示す図である。図７に示すように、連動装置１４９はインターフェース回路１５３を有し、インターフェース回路１５３にはフォトカプラ１５５、コンデンサ１５７が設けられる。フォトカプラ１５５はフォトダイオード１５９、フォトトランジスタ１６１を有する。連動装置１４９はガス警報器（図示せず）に接続され、フォトダイオード１５９にはガス警報器からの信号に応じてフォトダイオード１５９に電流を印加する回路（図示せず）が接続される。マイコンメータ１０３の構成は図６と同様である。
【０００９】
連動装置１４９とマイコンメータ１０３はツイストペア線１５１によって接続される。即ち、端子１６３と端子１２７とが、および端子１６５と端子１２９とがツイストペア線１５１によって接続される。
【００１０】
連動装置１４９からマイコンメータ１０３に遮断電文Ｆを送るときの動作を説明する。スイッチ１３５、スイッチ１３７は実線に示すようにそれぞれ端子１４１、端子１４７に常時接続される。ガス警報機からの遮断電文Ｆに応じてフォトトランジスタ１６１がオンオフする。フォトトランジスタ１６１がオンの状態では、電源電圧Ｖｃｃに接続された端子１３９から端子１４１、端子１２７、端子１６３、フォトトランジスタ１６１、端子１６５、端子１２９、端子１４７に電流が流れるが、フォトトランジスタ１６１がオフの状態では電流が流れない。従ってフォトトランジスタ１６１のオンオフに応じて端子１４１の電圧値が変化し、この電圧を測定することにより、マイコンメータ１０３は遮断電文Ｆを受け取ることができる。
【００１１】
【発明が解決しようとする課題】
しかしながら、このような通信システムではＴーＮＣＵ１０１とマイコンメータ１０３の間及び、マイコンメータ１０３と連動装置１４９との間の断線が検出できないため、断線が発生した場合、次の通信事象発生タイミングまで断線状態が放置される恐れがある。また、図６の場合、断線発生時に通信を試みても通信不能であることしか結果が得られず、メンテナンスに有効な情報を早期に入手することが困難な場合がある。また図７の場合、断線発生時に連動遮断を試みても断線のため遮断が成功せず危険な状況が発生することが危惧される。
【００１２】
本発明は、このような問題に鑑みてなされたもので、その目的とするところは、ＴーＮＣＵ１０１とマイコンメータ１０３及びマイコンメータ１０３と連動装置１４９との間の断線を検出することができる通信システムを提供することにあ
る。
【００１３】
【課題を解決するための手段】
前述した目的を達成するために第１の発明は、公衆回線に接続された網制御装置にマイコンメータを接続して公衆回線とマイコンメータとの間で通信を行う通信システムにおいて、前記マイコンメータと前記網制御回路との電文送受信を切り替えるスイッチと、前記マイコンメータと前記網制御装置との間の通信線路に挿入する導通検知手段と、前記導通検知手段の導通を判定する判定手段とを具備し、前記スイッチを、前記マイコンメータ又は前記網制御装置から電文送信を行うモードに切り替えて、前記導通検知手段を含む前記通信線路に形成したループに電流を印加し、前記判定手段は前記導通検知手段の導通の有無を判定して、前記マイコンメータと前記網制御装置との間の断線の有無を判定することを特徴とする通信システムである。
【００１４】
また、第２の発明は、ガス漏れを検知する警報機に接続された連動装置にマイコンメータを接続し、ガス漏れ時には前記警報機から前記マイコンメータに警報信号を送る通信システムにおいて、前記マイコンメータと前記連動装置との電文送受信を切り替えるスイッチと、前記マイコンメータと前記連動装置との間の通信線路に挿入する導通検知手段と、前記導通検知手段の導通を判定する判定手段とを具備し、前記スイッチを、前記連動装置又は前記マイコンメータから電文送信を行うモードに切り替えて、前記導通検知手段を含む前記通信線路に形成したループに電流を印加し、前記判定手段は前記導通検知手段の導通の有無を判定して、前記マイコンメータと前記連動装置との間の断線の有無を判定することを特徴とする通信システムである。
【００１５】
【作用】
第１の発明では、マイコンメータと網制御装置との間にループの形成と、このループに電流が流れるか否かを検知して網制御装置とマイコンメータとの間の断線の有無を判定する。
【００１６】
また、第２の発明では、マイコンメータと連動装置との間にループの形成と、このループに電流が流れるか否かを検知してマイコンメータと連動装置との間の断線の有無を判定する。
【００１７】
【実施例】
以下、図面に基づいて本発明の１実施例を詳細に説明する。図１は本発明の１実施例に係るマイコンメータ９を用いた通信システムの概略図である。図１に示すように、センタ１は公衆回線３を介してＴーＮＣＵ（網制御装置）５に接続され、ＴーＮＣＵ５はツイストペア線７を介してマイコンメータ９に接続される。マイコンメータ９はツイストペア線１５を介して連動装置１３に接続され、連動装置１３はガス警報機１１に接続される。
【００１８】
マイコンメータ９は自動検針等を行う場合、測定されたガス流量や圧力等のデータをツイストペア線７、ＴーＮＣＵ５、公衆回線３を介してセンタ１に送る。ガス警報機１１はガス漏れを検知すると、連動装置１３にマイコンメータ９の遮断弁（図示せず）を遮断する信号を送る。ガス警報機１１から遮断信号を送られた連動装置１３は、ツイストペア線１５を介してマイコンメータ９に遮断信号を送り、マイコンメータ９の遮断弁が遮断される。
【００１９】
即ち、本実施例におけるマイコンメータ９を用いた通信システムには、ツイストペア線７を介して自動検針等のためにセンタ１と通信を行うシステムと、ツイストペア線１５を介して安全対策のために警報機１１から信号を受ける警報機連動システムとが含まれる。
【００２０】
第１の実施例として、自動検針の通信システムにおけるＴーＮＣＵ５とマイコンメータ９について説明する。図２はＴーＮＣＵ５とマイコンメータ９を示す図である。図２に示すように、ＴーＮＣＵ５はインターフェース回路１７を有し、インターフェース回路１７はフォトカプラ１９、フォトカプラ２１、コンデンサ２３を有する。フォトカプラ１９はフォトダイオード２５、フォトトランジスタ２７を有し、フォトカプラ２１はフォトダイオード２９、フォトトランジスタ３１を有する。ＴーＮＣＵ５は公衆回線３を介してセンタ１に接続される。フォトダイオード２５にはセンタ１からの信号に応じてフォトダイオード２５に電流を印加する回路（図示せず）が接続される。又、フォトトランジスタ３１にはフォトトランジスタ３１のオンオフをセンタ１に伝える回路（図示せず）が接続される。
【００２１】
マイコンメータ９は次のように構成される。端子５７は電源電圧Ｖｃｃに接続され、端子５７に抵抗４５、４７が接続される。端子３７に接続されたスイッチ５３は端子５９、端子６１を切換え、端子３９に接続されたスイッチ５５は端子６３、端子６５を切換える。端子５９は抵抗４５に接続され、端子６１はアースされる。抵抗４７と端子６３との間にフォトカプラ４１が設けられる。フォトカプラ４１はフォトダイオード４９とフォトトランジスタ５１からなり、フォトトランジスタ５１には検知回路４３が接続される。検知回路４３はフォトトランジスタ５１の導通を検知するものである。端子６３はフォトダイオード４９に接続され、端子６５はアースされる。
【００２２】
ＴーＮＣＵ５とマイコンメータ９はツイストペア線７によって接続される。即ち、端子３３と端子３７とが、および端子３５と端子３９とがツイストペア線７によって接続される。
【００２３】
まず、ＴーＮＣＵ５とマイコンメータ９における電文のやりとりの動作を説明する。マイコンメータ９がセンタ１から下り電文Ａを受けとる場合、スイッチ５３、スイッチ５５は実線に示すようにそれぞれ端子５９、端子６５に常時接続される。センタ１からの下り電文Ａに応じて、フォトトランジスタ２７がオンオフする。フォトトランジスタ２７がオンの状態では、電源電圧Ｖｃｃに接続された端子５７から端子５９、端子３７、端子３３、フォトトランジスタ２７、端子３５、端子３９、端子６５に電流が流れるが、フォトトランジスタ２７がオフの状態では電流が流れない。従ってフォトトランジスタ２７のオンオフに応じて端子５９の電圧値が変化し、この電圧を測定することにより、マイコンメータ９は下り電文Ａを受け取ることができる。
【００２４】
マイコンメータ９からセンタ１に上り電文Ｂを送る場合、スイッチ５３は端子６１に接続される。スイッチ５５は、マイコンメータ９からの上り電文Ｂの「１」又は「０」に応じて端子６３と端子６５との接続を切換える。スイッチ５５が端子６５と接続された時にはフォトカプラ２１のフォトダイオード２９には電流が流れないが、スイッチ５５が端子６３と接続された時にはフォトカプラ２１のフォトダイオード２９に電流が流れる。フォトダイオード２９に電流が流れる時にはフォトトランジスタ３１はオンとなり、フォトダイオード２９に電流が流れない時にはフォトトランジスタ３１はオフとなる。このようなフォトカプラ２１のオンオフによって、センタ１に上り電文Ｂを送ることができる。
【００２５】
次に、ＴーＮＣＵ５とマイコンメータ９の間の断線の有無を検査する場合の動作を説明する。図３はＴーＮＣＵ５とマイコンメータ９との間の断線検査の手順を示すフローチャートである。通常時スイッチ５３、スイッチ５５は実線の位置にあるので、フォトカプラ４１のフォトダイオード４９に電流が流れない。断線を検出する場合、マイコンメータ９はスイッチ５３、スイッチ５５をそれぞれ端子６１、端子６３に接続するように切換える（ステップ３０１）。この場合、端子５７、フォトダイオード４９、端子６３、スイッチ５５、端子３９、端子３５、フォトダイオード２９、端子３３、端子３７、スイッチ５３、端子６１でループが形成され、端子５７は電源電圧Ｖｃｃに接続されているので、このループに電流（断線検査信号）が流される（ステップ３０２）。ツイストペア線７に断線がない場合、このループに断線検査信号が流れ、フォトダイオード４９が点灯し、フォトトランジスタ５１が導通して検知回路４３でフォトトランジスタ５１の導通を検知して、断線がないものとみなす。ツイストペア線７に断線が生じている場合には、このループに断線検査信号が流れないので、フォトダイオード４９は点灯せずフォトトランジスタ５１も導通しない。
【００２６】
このようにして検知回路４３によってフォトトランジスタ５１の導通を検知し（ステップ３０３）、フォトトランジスタ５１が導通した場合、ツイストペア線７は断線していないと判定する（ステップ３０４）。フォトダイオード４９に電流が流れず、検知回路４３がフォトトランジスタ５１の導通を検知しない場合（ステップ３０３）、断線ありと判定する（ステップ３０５）。そして、スイッチ５３、スイッチ５５をそれぞれ端子５９、端子６５に切換える（ステップ３０６）。
【００２７】
ここで断線検査信号とは、２０ｍｓ程度のマーク信号であり、通信電文の１５０ｍｓ〜２５０ｍｓ程度のマーク信号と区別できる。更に、２０ｍｓ程度の短い継続時間の信号であるので、断線検査信号送出による消費電力を抑えることができる。断線検査信号を送る頻度は、消費電力低減と断線の迅速な検出を考慮して決定される。例えば１日１回断線検査をした場合、断線検査信号送出時の消費電力を２０ｍＡとして１０年間の消費電流容量は、２０（ｍＡ）×２０（ｍｓｅｃ）×３６５（日）×１０（年）＝０．４ｍＡｈとなり、断線検査に伴う消費電力は少ない。
【００２８】
このように本実施例によれば、ＴーＮＣＵ５とマイコンメータ９との間の断線が検出できるため、緊急の通報発生時に断線のため通信ができない事象が起こることを防ぐことができる。また、多くの付加回路を増加することなく、消費電力も余り増やさずに、断線を検知することができる。尚、本実施例では、断線検出用のフォトカプラ４１、検知回路４３をマイコンメータ９に設けたが、フォトカプラ４１と検知回路４３をＴーＮＣＵ５側に設けるようにしてもよい。
【００２９】
また、断線検出用フォトカプラ、検知回路をＲＦアダプタ（自動検針用無線通信端末）に設けるようにしてもよい。ＲＦアダプタは、ＴーＮＣＵ５に接続する親機とマイコンメータ９に接続する子機があり、ＴーＮＣＵ５とマイコンメータ９との間を無線で通信する際に用いる。
【００３０】
第２の実施例として、警報機連動システムにおけるマイコンメータ９ａと連動装置１３について説明する。図４はマイコンメータ９ａと連動装置１３を示す図である。図４に示すように、連動装置１３はインターフェース回路６７を有し、インターフェース回路６７にはフォトカプラ６９、フォトカプラ７１、コンデンサ７５、検知回路７３が設けられる。フォトカプラ６９はフォトダイオード７７、フォトトランジスタ７９を有する。フォトカプラ７１はフォトダイオード８１、フォトトランジスタ８３を有する。連動装置１３はガス警報器１１に接続され、フォトダイオード７７にはガス警報器１１からの信号に応じてフォトダイオード７７に電流を印加する回路（図示せず）が接続される。フォトカプラ７１のフォトダイオード８１が点灯すると、フォトトランジスタ８３が導通し、検知回路７３はフォトトランジスタ８３の導通を検知する。
【００３１】
マイコンメータ９ａと連動装置１３はツイストペア線１５によって接続される。即ち、端子８５と端子３７とが、および端子８７と端子３９とがツイストペア線１５によって接続される。
【００３２】
まず、連動装置１３からマイコンメータ９ａに遮断電文Ｃを送るときの動作を説明する。スイッチ５３、スイッチ５５は実線に示すようにそれぞれ端子５９、端子６５に常時接続される。ガス警報機１１からの遮断電文Ｃに応じて、フォトトランジスタ７９がオンオフする。フォトトランジスタ７９がオンの状態では、電源電圧Ｖｃｃに接続された端子５７から端子５９、端子３７、端子８５、フォトトランジスタ７９、端子８７、端子３９、端子６５に電流が流れるが、フォトトランジスタ７９がオフの状態では電流が流れない。従ってフォトトランジスタ７９のオンオフに応じて端子５９の電圧値が変化し、この電圧を測定することにより、マイコンメータ９ａは遮断電文Ｃを受け取ることができる。
【００３３】
次に、マイコンメータ９ａと連動装置１３との間の断線の有無を検査する場合の動作を説明する。図５はマイコンメータ９ａと連動装置１３との間の断線検査の手順を示すフローチャートである。通常時スイッチ５３、スイッチ５５は実線の位置にあるので、端子５７、端子５９、スイッチ５３、端子３７、端子８５、フォトトランジスタ７９、フォトダイオード８１、端子８７、端子３９、スイッチ５５、端子６５でループが形成される。断線を検出する場合、連動装置１３から断線検査信号Ｃ２がフォトカプラ６９に送られる（ステップ５０２）。ツイストペア線１５に断線がない場合、このループに電流が流れ、フォトダイオード８１が点灯し、フォトトランジスタ８３が導通して検知回路７３でフォトトランジスタ８３の導通を検知して、断線がないものとみなす。ツイストペア線１５に断線が生じている場合には、このループに電流が流れないので、フォトダイオード８１は点灯せずフォトトランジスタ８３も導通しない。
【００３４】
このようにして検知回路７３によってフォトトランジスタ８３の導通を検知し（ステップ５０３）、フォトトランジスタ８３が導通した場合、ツイストペア線１５は断線していないと判定する（ステップ５０４）。フォトダイオード８１に電流が流れず、検知回路７３がフォトトランジスタ８３の導通を検知しない場合（ステップ５０３）、断線ありと判定する（ステップ５０５）。そして、連動装置１３は断線検査信号Ｃ２の出力を止める（ステップ５０６）。
【００３５】
断線検査信号Ｃ２とは、１１０ｍｓ程度の信号であり、通信電文の１５０ｍｓ〜２５０ｍｓ程度のマーク信号と区別できる。更に、１１０ｍｓ程度の短い継続時間の信号であるので、断線検査信号送出による消費電力を抑えることができ、マイコンメータ９ａからツイストペア線１５に１００ｍｓ程度の間欠動作で電流印加が行われる場合にも、この信号と区別できる。断線検査信号を送る頻度は、消費電力低減と断線の迅速な検出を考慮して決定される。例えば１日１回断線検査をした場合、断線検査信号送出時の消費電力を２０ｍＡとして１０年間の消費電流容量は、２０（ｍＡ）×１１０（ｍｓｅｃ）×３６５（日）×１０（年）＝２．３ｍＡｈとなり、断線検査に伴う消費電力は少ない。通常時、マイコンメータ９ａ側の消費電流は２．３ｍＡｈと同程度である。尚、断線検査信号を送る頻度は、消費電力低減と断線の迅速な検出を考慮して決定される。
【００３６】
このように本実施例によれば、マイコンメータ９ａと連動装置１３との間の断線が検出できるため、緊急の通報発生時に断線のため連動遮断ができない事象が起こることを防ぐことができる。また、多くの付加回路を増加することなく、消費電力も余り増やさずに、断線を検知することができる。更に、検知した断線状況情報を活用する新たなアラーム機能等の付加が可能となる。
【００３７】
以上のように本実施例の通信システムによれば、ＴーＮＣＵ５とマイコンメータ９を接続するライン、あるいはマイコンメータ９ａと連動装置１３を接続するラインの断線を検出できるため、断線が起こった場合に速やかにメンテナンスを行うことができる。このため、断線状態の放置を回避できるので、緊急の通報発生時に通信ができない、あるいは連動遮断ができない等の事象発生を防ぐことができる。また、従来の技術に若干の回路を付加することによって、消費電力を余り増やさずに断線を検知する機能を提供することができる。
【００３８】
【発明の効果】
以上、詳細に説明したように本発明による通信システムは、ＴーＮＣＵとマイコンメータ及びマイコンメータと連動装置との間の断線を検出することができる
。
【図面の簡単な説明】
【図１】  本発明の１実施例に係るマイコンメータ９を用いた通信システムの概略図
【図２】  ＴーＮＣＵ５とマイコンメータ９を示す図
【図３】  ＴーＮＣＵ５とマイコンメータ９との間の断線検査の手順を示すフローチャート
【図４】  マイコンメータ９ａと連動装置１３を示す図
【図５】  マイコンメータ９ａと連動装置１３との間の断線検査の手順を示すフローチャート
【図６】  ＴーＮＣＵ１０１とマイコンメータ１０３を示す図
【図７】  マイコンメータ１０３と連動装置１４９を示す図
【符号の説明】
１………センタ
３………公衆回線
５………ＴーＮＣＵ
７、１５………ツイストペア線
９、９ａ………マイコンメータ
１１………警報機
１３………連動装置
１７、６７………インターフェース回路
１９、２１、４１、６９、７１………フォトカプラ
２３、７５………コンデンサ
２５、２９、４９、７７、８１………フォトダイオード
２７、３１、５１、７９、８３………フォトトランジスタ
３３、３５、３７、３９、５７、５９、６１、６３、６５、８５、８７………端子
４３、７３………検知回路
４５、４７………抵抗
５３、５５………スイッチ
【図１】
0003662299.tif 000002
【図２】
0003662299.tif 000003
【図３】
0003662299.tif 000004
【図４】
0003662299.tif 000005
【図５】
0003662299.tif 000006
【図６】
0003662299.tif 000007
【図７】
0003662299.tif 000008